(57)【要約】【課題】異なる被写体であっても略同一の性質を有する放射線画像を取得して定量的な画像診断を可能にする。【解決手段】放射線の焦点サイズを連続的に変更可能な放射線源２と、放射線源２から放射線が被写体Ｓに照射されたときに被写体Ｓを透過した放射線を検出して放射線画像Ｐを取得する放射線検出器１０と、放射線検出器１０において放射線画像Ｐを取得する際に被写体Ｓに関する情報（被写体の厚みＤ）に基づいて放射線源２の焦点サイズＦＳ１、ＦＳ２を制御する焦点制御手段６０と有する。【選択図】図４
2009201873.tif 000002
【特許請求の範囲】
【請求項１】
放射線の焦点サイズを連続的に変更可能な放射線源と、
該放射線源から前記放射線が被写体に照射されたときに該被写体を透過した前記放射線を検出して放射線画像を取得する放射線検出器と、
前記放射線検出器において前記放射線画像を取得する際に被写体に関する被写体情報に基づいて前記放射線源の前記焦点サイズを制御する焦点制御手段と
を備えたことを特徴とする放射線画像検出装置。
【請求項２】
前記被写体情報が前記被写体の厚みであり、前記焦点制御手段が該被写体の厚みに基づいて前記放射線源の前記焦点サイズを制御するものであることを特徴とする請求項１記載の放射線画像検出装置。
【請求項３】
前記放射線源と前記放射線検出器との間に設けられた、該放射線検出器上の前記被写体を前記放射線検出器側に押圧する押圧板と、
該押圧板の位置を検出することにより前記被写体の厚みを検出する厚み検出手段と
をさらに備え、
前記焦点制御手段が、前記厚み検出手段により検出された前記被写体の厚みに基づいて前記焦点サイズを制御するものであることを特徴とする請求項２記載の放射線画像検出装置。
【請求項４】
前記焦点制御手段が、前記放射線が前記被写体に照射される放射線量および曝射時間が予め設定された設定曝射時間になるように、前記被写体の厚みに基づいて前記焦点サイズを制御するものであることを特徴とする請求項２または３記載の放射線画像検出装置。
【請求項５】
前記焦点制御手段が、厚みＤの前記被写体に対し前記放射線を照射するとき、基準厚みＤｒｅｆ、基準透過率μ０の基準被写体Ｓｒｅｆに対し基準焦点サイズＦＳ０、基準ｍＡ値（ｍＡ）０で前記放射線を照射したときと同一の放射線量および設定曝射時間になるように前記焦点サイズＦＳ１を下記式（１）により決定するものであることを特徴とする請求項４記載の放射線画像検出装置。
ＦＳ１＝ＦＳ０・（ｍＡ）０×μ０（Ｄｒｅｆ−Ｄ）／２Ｄｒｅｆ  ・・・（１）
【請求項６】
前記焦点制御手段が、ボケ幅が予め設定された設定ボケ幅になるように、前記被写体の厚みに基づいて前記焦点サイズを決定するものであることを特徴とする請求項２から５のいずれか１項記載の放射線画像検出装置。
【請求項７】
前記焦点制御手段が、前記焦点サイズをＦｓ、前記放射線源から前記放射線検出器までの距離をＬ、前記放射線検出器から前記被写体までの距離をａ、前記被写体の厚みをＤ、前記被写体内の基準観察位置をＺｓ（０＜Ｚｓ≦Ｄ）、前記放射線検出器上の設定ボケ幅をｈとしたとき、下記式（２）を用いて前記焦点サイズＦＳ２を求めるものであることを特徴とする請求項６記載の放射線画像検出装置。
ＦＳ２＝（Ｌ−ａ−Ｚｓ）ｈ／（ａ＋Ｚｓ）      ・・・（２）
【発明の詳細な説明】
【技術分野】
【０００１】
本発明は、焦点サイズを連続的に変更可能な放射線源を用いて放射線画像を取得する放射線画像検出装置に関するものである。
【背景技術】
【０００２】
従来、医療分野などにおいて、被写体を透過した放射線の照射により被写体に関する放射線画像を記録する放射線検出器が各種提案、実用化されている。上記放射線検出器としては、たとえば、放射線の照射により電荷を発生するアモルファスセレンを利用した放射線検出器がある。そして、放射線源から放射線が照射されたとき、放射線検出器が被写体を透過した放射線を検出し放射線画像を取得する。
【０００３】
ここで、放射線源には選択的に焦点サイズが変更可能な構成を有しているものが用いられており、たとえば焦点サイズが０．１ｍｍ、０．３ｍｍとなる２種類のフィラメントを有するＸ線管を用い、あるいは２種類以上の複数のフィラメントを有するＸ線管が用いられている。そして、たとえば通常の放射線画像を取得する場合と鮮鋭な放射線画像を取得する場合とにおいて焦点サイズを切り替えながら放射線画像の取得を行うことが提案されている（たとえば特許文献１参照）。
【特許文献１】特開２００３−１８０６７０号公報
【特許文献２】特開２００６−２６４２５号公報
【発明の開示】
【発明が解決しようとする課題】
【０００４】
大量の放射線画像から病変を有する放射線画像を認識するには、放射線画像の画質のばらつきをなくすことが望まれている。しかし、マンモグラフィ撮影においては被写体の性質（乳房）が同一であっても被写体の厚みが異なる場合、被写体を透過し放射線検出器に検出される放射線量は異なる。また、放射線画像のボケ幅は被写体の厚みに依存するため、厚みが異なる被写体を同一の撮影条件で撮影した場合には放射線画像の画質が異なるものとなる。このように、異なる被写体毎に放射線画像の画質が異なる場合があり画像診断を行う際の定量的な判断がしづらいという問題がある。
【０００５】
そこで、本発明は、異なる被写体を撮影した放射線画像について定量的な画像診断を行うことを可能にする放射線画像検出装置を提供することを目的とする。
【課題を解決するための手段】
【０００６】
本発明の放射線画像検出装置は、放射線の焦点サイズを連続的に変更可能な放射線源と、放射線源から放射線が被写体に照射されたときに被写体を透過した放射線を検出して放射線画像を取得する放射線検出器と、放射線検出器において放射線画像を取得する際に被写体に関する被写体情報に基づいて放射線源の焦点サイズを制御する焦点制御手段とを備えたことを特徴とするものである。
【０００７】
ここで、放射線画像は、被写体に放射線を曝射することにより検出されたものであればなんでもよく、たとえばマンモグラフィ装置により取得された放射線画像や胸部撮影により取得された放射線画像であってもよいし、医用画像に限らず非破壊検査に用いられる放射線画像であってもよい。
【０００８】
また、被写体情報とは、焦点サイズの制御に必要な被写体に起因する情報を意味し、放射線検出器上の被写体の厚みや被写体の透過率等であってもよい。たとえば被写体情報が厚み情報であるとき、焦点制御手段は、被写体の厚みに基づいて放射線源の焦点サイズを制御することになる。
【０００９】
なお、放射線画像検出装置は、放射線源と放射線検出器との間に設けられた、放射線検出器上の被写体を放射線検出器側に押圧する押圧板と、押圧板の位置を検出することにより被写体の厚みを検出する厚み検出手段とをさらに備えたものであってもよい。このとき、焦点制御手段は、厚み検出手段により検出された被写体の厚みに基づいて焦点サイズを制御することになる。
【００１０】
さらに、焦点制御手段は、予め設定された設定放射線量および設定曝射時間になるように、被写体の厚みに基づいて焦点サイズを制御するものであってもよい。このとき、焦点制御手段は、厚みＤの被写体に対し放射線を照射するとき、上記式（１）を用いて、基準厚みＤｒｅｆ、基準透過率μ０の基準被写体Ｓｒｅｆに対し基準焦点サイズＦＳ０で放射線を照射したときと同一の放射線量および設定曝射時間になるような焦点サイズＦＳを決定するようにしてもよい。
【００１１】
あるいは、焦点制御手段は、ボケ幅が予め設定された設定ボケ幅になるように、被写体の厚みに基づいて焦点サイズを決定するものであってもよい。このとき、焦点制御手段は、焦点サイズをＦｓ、放射線源と放射線検出器との距離をＬ、放射線検出器から被写体までの距離をａ、被写体の厚みをＤ、被写体の基準観察位置をＺｓ（０＜Ｚｓ≦Ｄ）、放射線検出器上の設定ボケ幅をｈとしたとき、上記式（２）を用いて焦点サイズを求めることになる。
【発明の効果】
【００１２】
本発明の放射線画像検出装置によれば、放射線の焦点サイズを連続的に変更可能な放射線源と、放射線源から放射線が被写体に照射されたときに被写体を透過した放射線を検出して放射線画像を取得する放射線検出器と、放射線検出器において放射線画像を取得する際に被写体に関する被写体情報に基づいて放射線源の焦点サイズを制御する焦点制御手段とを備えたことにより、被写体の違いに合わせて焦点サイズを制御することができるため、被写体の違いにより放射線画像の性質に違いが生じるのを防止して多量の放射線画像を定量的に判断することができる。
【００１３】
なお、被写体情報が放射線検出器上の被写体の厚みであり、焦点制御手段が被写体の厚みに基づいて放射線源の焦点サイズを制御するものであるとき、被写体の厚みにより曝射時間および放射線画像の性質に違いが生じるのを防止して多量の放射線画像を定量的に判断することができる。
【００１４】
また、焦点制御手段が、放射線が被写体に照射される放射線量および曝射時間が予め設定された設定曝射時間になるように、被写体の厚みに基づいて焦点サイズを制御するものであって、特に、厚みＤの被写体に対し放射線を照射するとき、上記式（１）を用いて、基準厚みＤｒｅｆ、基準透過率μ０の基準被写体Ｓｒｅｆに対し基準焦点サイズＦＳ０で放射線を照射したときと同一の放射線量および設定曝射時間になるような焦点サイズＦＳを決定するものであるとき、被写体の厚みの違いによる放射線の透過率の違いに応じて焦点サイズを連続的に変化させることができるため、厚みの異なる被写体であっても曝射時間および放射線画像の性質を一定にして多量の放射線画像を定量的に判断することができる。
【００１５】
さらに、焦点制御手段が、ボケ幅が予め設定された設定ボケ幅になるように、被写体の厚みに基づいて焦点サイズを決定するものであって、特に、焦点サイズをＦｓ、放射線源と放射線検出器との距離をＬ、放射線検出器から被写体までの距離をａ、被写体の厚みをＤ、被写体の基準観察位置をＺｓ（０＜Ｚｓ≦Ｄ）、放射線検出器上の設定ボケ幅をｈとしたとき、下記式（２）を用いて焦点サイズを求めるものであれば、被写体の厚みの違いによる基準観察位置の移動に応じて焦点サイズを連続的に変化させることができるため、厚みの異なる被写体であっても基準観察位置のボケ幅を一定した放射線画像を取得することができ多量の放射線画像を定量的に判断することができる。
【発明を実施するための最良の形態】
【００１６】
以下、図面を参照して本発明の放射線画像検出装置について説明する。図１は放射線画像を取得する放射線画像検出装置の好ましい実施形態を示す模式図、図２は図１の撮影台５の内部構成を示す模式図である。図１の放射線画像検出装置１は、いわゆる乳房の放射線画像を取得するマンモグラフィ装置であって、放射線源２、基台３、支持体４、撮影台５、押圧板６を備えている。基台３は支持体４を被写体Ｓの位置に応じて矢印Ｚ方向に移動可能に保持している。放射線源２は被写体Ｓに向けて放射線を照射するものであって、支持体４の上部に取り付けられた放射線源収容部２ａに収容されている。
【００１７】
撮影台５は放射線源２から照射され被写体Ｓを透過した放射線を検出して放射線画像Ｐを取得する放射線検出器１０を収納したものであり、支持体４の下部に放射線源２と対向するように取り付けられている。また、撮影台５の上部には被写体Ｓを撮影台５に押圧する押圧板６が設けられており、押圧板６は支持体４に対し矢印Ｚ方向に移動可能に取り付けられている。この押圧板６には押圧板６の位置を検出することにより被写体Ｓの厚みＤを検出する厚み検出手段４０が設けられている。
【００１８】
撮影台５内において放射線源２と放射線検出器１０との間には散乱除去手段２０が設けられている。散乱除去手段２０は、放射線の非散乱成分を通し散乱成分を吸収（除去）するものであって、たとえば鉛板等からなる複数のプレートが放射線源（焦点）を指向するように所定間隔（例えば、０．３ｍｍ程度）で並列的に配置された構造を有している。
【００１９】
放射線検出器１０は、被写体Ｓを透過した放射線からなる放射線画像情報を静電潜像として蓄積し、蓄積した静電潜像を読み取ることにより放射線の透過率分布を放射線画像として検出するものである。なお、放射線検出器１０は放射線を検出して画像情報として出力するものであればその構成を問わず、たとえばＴＦＴ方式の固体検出器であってもよいし光読出方式の固体検出器であってもよい。そして、放射線検出器１０により取得された放射線画像Ｐは放射線画像処理装置１００に送られ、放射線画像処理装置１００において各種画像処理および画像表示がなされる。
【００２０】
図３は図１の放射線源２の内部構造を示す模式図である。なお、図３は特開２００６−１８５８６６号公報に開示された放射線源２を用いた場合について例示しているが、焦点サイズを連続的に変更可能な放射線源２であればこの構成に限定されない。放射線源２は、焦点サイズを連続的に変更可能なものであって、Ｘ線管２Ｘ内のカソード３１とアノード３２とは互いに対向する位置に配置されている。そして、カソード３１からアノード３２へ電子が放出され、アノード３２に電子が衝突したときアノード３２から放射線が放射される。カソード３１とアノード３２との間には開口を有するグリッド電極３３および筒状の収束電極３４が配置されている。そして、カソード３１から放出した電子線はグリッド電極３３および収束電極３４を介してアノード３２に衝突する。カソード３１から射出された電子がグリッド電極３３の開口および収束電極３４の筒内を通過しアノード３２に衝突する。また、Ｘ線管２Ｘの外側には電子線を変更するための電磁コイル３５が設けられており、管球制御手段５０から偏向電流が供給される。
【００２１】
管球制御手段５０は、Ｘ線管２Ｘの各部位に供給する電圧を制御することにより、Ｘ線管２Ｘの動作を制御する。具体的には、管球制御手段５０は、カソード３１とアノード３２との間の管電圧を制御することによりカソード３１から放出される電子の加速電圧を制御する。また、管球制御手段５０はカソード３１とグリッド電極３３との間の電位差を制御することにより電子線の電流を制御する。さらに、管球制御手段５０は、カソード３１と収束電極３４との間のフォーカス電圧および電磁コイルに供給する偏向電流を制御することにより焦点サイズＦＳ１を制御する。つまり、管球制御手段５０は、各種電圧および偏向電流を制御することにより、放射線源２の焦点サイズＦＳ１が焦点制御手段６０により決定された焦点サイズＦＳ１になるように制御する。
【００２２】
焦点制御手段６０は、被写体情報である被写体Ｓの厚みＤに基づいて放射線源２の焦点サイズＦＳ１を制御するものである。具体的には、焦点制御手段６０は、予め基準透過率μ０であって基準厚みＤｒｅｆの基準被写体Ｓｒｅｆを撮影したときの基準焦点サイズＦＳ０、基準ｍＡ値（ｍＡ）０を有しており、下記式（１）を用いて焦点サイズＦＳ１を決定する。
ＦＳ１＝ＦＳ０・（ｍＡ）０×μ０（Ｄｒｅｆ−Ｄ）／２Ｄｒｅｆ  ・・・（１）
上記式（１）について詳細に説明する。まず、図４に示すように、基準厚みＤｒｅｆを有する基準透過率μ０の基準被写体（乳房）Ｓｒｅｆに対し、基準焦点サイズＦＳ０で設定曝射時間ｓだけ照射したときの放射線源２から照射した放射線量を基準ｍＡｓ値（ｍＡｓ）０とする。ここで、基準被写体Ｓｒｅｆの厚みをｎ倍にした厚みＤ（＝Ｄｒｅｆ×ｎ）の被写体Ｓの放射線画像Ｐを取得する場合の焦点サイズＦＳ１について考慮する。
【００２３】
被写体Ｓの透過率は基準被写体Ｓｒｅｆのμ０ｎになるため、基準被写体Ｓｒｅｆを透過した放射線量と被写体Ｓを透過した放射線量とが同一になるためには、放射線源２から照射される放射線量ｍＡｓ値は下記のようにする必要がある。
（ｍＡｓ）ｎ×μ０ｎ＝（ｍＡｓ）０×μ０
（ｍＡｓ）ｎ  ＝  （ｍＡｓ）０×μ０1−ｎ    ・・・（１−１）
さらに被写体Ｓに対する曝射時間が上記設定曝射時間ｓであるとき、式（１−１）は
（ｍＡ）ｎ＝（ｍＡ）０×μ０１−ｎ  ・・・（１−２）
となる。
【００２４】
ところで、アノード（ターゲット板）３２の熱による損傷を防止するために、（ｍＡ）ｎ／ＦＳ１２＝Ｋ（一定）、（ｍＡ）０／ＦＳ２０＝Ｋ（一定）にする必要がある。したがって、各焦点サイズＦＳ１２、ＦＳ０２は下記式（１−３）、（１−４）のようになる。
ＦＳ１２  ＝  （ｍＡ）０／Ｋ・μ０１−ｎ     ・・・（１−３）
ＦＳ０２＝  （ｍＡ）０／Ｋ・μ０          ・・・（１−４）
結果として上記式（１−２）〜（１−４）により焦点サイズＦＳ１は以下のようになる。
ＦＳ１＝ＦＳ０・（ｍＡ）０×μ０（１−ｎ）／２    ・・・（１−５）
厚さＤ＝Ｄｒｅｆ×ｎであるため、式（１−５）は下記式（１）のようになる。
ＦＳ１＝ＦＳ０・（ｍＡ）０×μ０（Ｄｒｅｆ−Ｄ）／２Ｄｒｅｆ  ・・・（１）
【００２５】
そこで、焦点制御手段６０に基準厚さＤｒｅｆ、基準ｍＡ値（ｍＡ）０、基準透過率μ０、基準焦点サイズＦＳ０を予め記憶しておく。そして、厚み検出手段４０により被写体Ｓの厚さＤが検出されたとき、式（１）に基づいて被写体Ｓを撮影するときの焦点サイズＦＳ１を決定する。そして、管球制御手段５０が決定した焦点サイズＦＳ１で放射線を照射することにより放射線画像Ｐが取得される。
【００２６】
このように、式（１）を用いて各被写体Ｓ毎に焦点サイズＦＳ１を決定することにより、厚さＤの異なる被写体Ｓを撮影したときであっても曝射時間ｓおよび曝射ｍＡｓ値を一定にすることができる。つまり、被写体（乳房）の厚みＤの違いによって曝射時間が被写体毎に変わることを防止することができるとともに、厚みＤの違いにより放射線画像Ｐに現れる各被写体毎の濃度変化を抑えて定量的な画像診断を行うことができる。特に曝射時間を一定にすることにより、たとえば残像補正のような曝射時間に依存する画像信号成分を補正する必要がある場合、被写体Ｓにより曝射時間が変化しないため、厚みＤの異なる被写体Ｓ毎に異なるパラメータを用いて信号補正を行う必要がなくなる。
【００２７】
図５は本発明の放射線画像検出装置における焦点制御手段の別の実施形態を示す模式図であり、図５を参照して焦点制御手段１６０について説明する。なお、図５において図１〜図４と同一の構成を有する部位には同一の符号を付してその説明を省略する。図５の焦点制御手段１６０が図１の焦点制御手段１６０と異なる点は、放射線検出器１０上に写像された被写体像の半影（ボケ幅）が一定量になるように焦点サイズを制御する点である。
【００２８】
具体的には、図５において、たとえば予め被写体Ｓの中心位置（＝Ｄ／２）を基準観察位置Ｚｓとして焦点を合わせ放射線画像Ｐの取得を行うように焦点サイズＦＳ２が設定された場合について例示する。被写体Ｓの厚みＤが異なるとき基準観察位置Ｚｓは上下に移動し、被写体Ｓの基準観察位置Ｚｓにおける像の放射線検出器１０上のボケ幅が変化する。一方、多数の放射線画像Ｐを定量的に画像診断する際には各放射線画像Ｐのボケ幅は一定の値であることが望ましい。
【００２９】
そこで、焦点制御手段１６０は被写体Ｓの所定の位置Ｚｓ（たとえば被写体Ｓの中心位置）の像が設定ボケ幅ｈになるように焦点サイズＦＳ２を制御する機能を有している。具体的には、焦点サイズをＦＳ２、放射線源２と放射線検出器１０との距離をＬ、放射線検出器１０から被写体Ｓまでの距離をａ、被写体の厚みをＤとしたとき、焦点制御手段１６０は、放射線検出器１０からの被写体Ｓの基準観察位置Ｚｓ（０＜Ｚｓ≦Ｄ）にある被写体Ｓの像が放射線検出器１０上の設定ボケ幅ｈになるような焦点サイズＦＳ２を下記式（２）により求める。
ＦＳ２＝（Ｌ−ａ−Ｚｓ）ｈ／（ａ＋Ｚｓ）・・・（２）
これにより、厚さＤが異なる被写体Ｓを撮影した複数の放射線画像Ｐにおいて、被写体Ｓにおける所定位置Ｚｓの像は各放射線画像Ｐにおいて設定ボケ幅ｈで一定になるため、被写体が異なる毎にボケ幅が異なるのを防止して定量的な画像診断を行うことができる。
【００３０】
上記実施の形態によれば、放射線の焦点サイズを連続的に変更可能な放射線源２と、放射線源２から放射線が被写体Ｓに照射されたときに被写体Ｓを透過した放射線を検出して放射線画像Ｐを取得する放射線検出器１０と、放射線検出器１０において放射線画像Ｐを取得する際に被写体Ｓに関する被写体情報Ｄに基づいて放射線源２の焦点サイズＦＳ１、ＦＳ２を制御する焦点制御手段６０とを備えたことにより、被写体Ｓの違いに合わせて焦点サイズＦＳ１、ＦＳ２を制御することができるため、被写体Ｓの違いにより放射線画像Ｐの性質に違いが生じるのを防止して多量の放射線画像Ｐを定量的に判断することができる。
【００３１】
なお、被写体情報が放射線検出器１０上の被写体Ｓの厚みＤであり、焦点制御手段６０が放射線源２から放射線検出器１０までの距離および被写体Ｓの厚みＤに基づいて放射線源２の焦点サイズＦＳ１、ＦＳ２を制御するものであるとき、被写体Ｓの厚みＤにより曝射時間および放射線画像Ｐの性質に違いが生じるのを防止して多量の放射線画像Ｐを定量的に判断することができる。
【００３２】
また、図４に示すように、焦点制御手段６０が、放射線が被写体Ｓに照射される放射線量および曝射時間が予め設定された設定曝射時間になるように、被写体Ｓの厚みＤに基づいて焦点サイズＦＳ１を制御するものであって、特に、厚みＤの被写体Ｓに対し放射線を照射するとき、上記式（１）を用いて、基準厚みＤｒｅｆ、基準透過率μ０の基準被写体Ｓｒｅｆに対し基準焦点サイズＦＳ０で放射線を照射したときと同一の放射線量および設定曝射時間になるような焦点サイズＦＳ１を決定するものであるとき、被写体Ｓの厚みＤの違いによる放射線の透過率の違いに応じて焦点サイズＦＳ１を連続的に変化させることができるため、厚みＤの異なる被写体Ｓであっても曝射時間および放射線画像Ｐの性質を一定にして多量の放射線画像Ｐを定量的に判断することができる。
【００３３】
さらに、焦点制御手段６０が、ボケ幅が予め設定された設定ボケ幅ｈになるように、被写体Ｓの厚みＤに基づいて焦点サイズＦＳ２を決定するものであって、特に、焦点サイズをＦｓ、放射線源２と放射線検出器１０との距離をＬ、放射線検出器１０から被写体Ｓまでの距離をａ、被写体Ｓの厚みをＤ、被写体Ｓの基準観察位置をＺｓ（０＜Ｚｓ≦Ｄ）、放射線検出器１０上の設定ボケ幅をｈとしたとき、下記式（２）を用いて焦点サイズＦＳ２を求めるものであれば、被写体Ｓの厚みＤの違いによる基準観察位置Ｚｈの移動に応じて焦点サイズＦＳ２を連続的に変化させることができるため、厚みの異なる被写体Ｓであっても基準観察位置Ｚｓの像が設定ボケ幅ｈで一定にした放射線画像Ｐを取得することができ多量の放射線画像Ｐを定量的に判断することができる。
【００３４】
なお、本発明の実施の形態は上記実施の形態に限定されない。たとえば、上記実施の形態において、被写体情報とした被写体Ｓの厚みＤを用いた場合について例示しているが、上記式（１−１）〜（１−４）に基づいて被写体Ｓの透過率μに応じて焦点サイズＦＳを変化させるようにしてもよい。
【図面の簡単な説明】
【００３５】
【図１】本発明の放射線画像検出装置の好ましい実施形態を示す模式図
【図２】図１の放射線画像検出装置における撮影台の内部構成を示す模式図
【図３】図１の放射線画像検出装置における放射線源の内部構成を示す平面図
【図４】本発明の放射線検出装置における実施形態の一例を示す模式図
【図５】本発明の放射線検出装置における焦点制御手段の別の実施形態を示す模式図
【符号の説明】
【００３６】
１    放射線画像検出装置
２    放射線源
１０  放射線検出器
４０  厚み検出手段
５０  管球制御手段
６０、１６０       焦点制御手段
ＦＳ１、ＦＳ２     焦点サイズ
ＦＳ０ 基準焦点サイズ
ｈ    ボケ幅
Ｐ    放射線画像
Ｓ    被写体
Ｓｒｅｆ    基準被写体
Ｚｓ  基準観察位置
μ０   基準透過率
【図１】
2009201873.tif 000003
【図２】
2009201873.tif 000004
【図３】
2009201873.tif 000005
【図４】
2009201873.tif 000006
【図５】
2009201873.tif 000007